(57)【要約】【課題】コストを抑えつつ、簡便な方法でスパッタ数を計数すること。【解決手段】撮影装置を備える持ち運び可能な端末装置が行うスパッタ計数方法であって、溶接時においてスパッタを撮影可能な領域を動画像で撮影する撮影ステップと、撮影ステップにおいて撮影された動画像を構成する静止画像毎に、静止画像に撮影されているスパッタの数をカウントするカウントステップと、を有するスパッタ計数方法。【選択図】図１
2019188421.tif 000002
【特許請求の範囲】
【請求項１】
撮影装置を備える持ち運び可能な端末装置が行うスパッタ計数方法であって、
溶接時に発生するスパッタを撮影可能な領域を動画像で撮影する撮影ステップと、
前記撮影ステップにおいて撮影された前記動画像を構成する静止画像毎に、前記静止画像に撮影されているスパッタの数をカウントするカウントステップと、
を有するスパッタ計数方法。
【請求項２】
前記動画像を二値化処理する画像処理ステップをさらに有し、
前記カウントステップにおいて、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントする、請求項１に記載のスパッタ計数方法。
【請求項３】
前記動画像の撮影時間のうち前記スパッタの数をカウントする対象となる時間帯を設定する設定ステップをさらに有し、
前記画像処理ステップにおいて、前記設定ステップで設定された前記時間帯分の前記動画像を構成する静止画像毎に、前記静止画像に撮影されているスパッタの数をカウントする、請求項２に記載のスパッタ計数方法。
【請求項４】
前記撮影ステップにおいて前記領域を撮影する前記撮影装置のシャッタースピードが、１／４００〜１／８００である、請求項１から３のいずれか一項に記載のスパッタ計数方法。
【請求項５】
前記撮影ステップにおいて前記領域を撮影する前記撮影装置のＩＳＯ感度が、前記静止画像に撮影されているスパッタを浮かび上がらせることが可能な値である、請求項１から４のいずれか一項に記載のスパッタ計数方法。
【請求項６】
前記動画像と、前記カウントステップにおいてカウントされた前記静止画像毎のスパッタの数とを対応付けて表示部に表示させる表示制御ステップをさらに有する、請求項１から５のいずれか一項に記載のスパッタ計数方法。
【請求項７】
前記表示制御ステップにおいて、前記静止画像毎のスパッタの数をグラフ化して前記表示部に表示させるとともに、前記スパッタの数の統計値をさらに表示させる、請求項６に記載のスパッタ計数方法。
【請求項８】
前記カウントステップにおいてカウントされた前記スパッタの数を前記静止画像毎に所定のファイル形式のファイルとして出力する出力ステップと、
出力された前記ファイルを他の装置に送信する通信ステップと、
をさらに有する、請求項１から７のいずれか一項に記載のスパッタ計数方法。
【請求項９】
撮影装置を備える持ち運び可能な端末装置として機能するコンピュータに、
溶接時に発生するスパッタを撮影可能な領域を動画像で撮影する撮影ステップと、
前記撮影ステップにおいて撮影された前記動画像を構成する静止画像毎に、前記静止画像に撮影されているスパッタの数をカウントするカウントステップと、
を実行させるためのコンピュータプログラム。
【請求項１０】
前記動画像を二値化処理する画像処理ステップをさらに実行させ、
前記カウントステップにおいて、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントする、請求項９に記載のコンピュータプログラム。
【請求項１１】
前記動画像の撮影時間のうち前記スパッタの数をカウントする対象となる時間帯を設定する設定ステップをさらに実行させ、
前記画像処理ステップにおいて、前記設定ステップで設定された前記時間帯分の前記動画像を構成する静止画像毎に、前記静止画像に撮影されているスパッタの数をカウントする、請求項１０に記載のコンピュータプログラム。
【請求項１２】
前記撮影ステップにおいて前記領域を撮影する前記撮影装置のシャッタースピードが、１／４００〜１／８００である、請求項９から１１のいずれか一項に記載のコンピュータプログラム。
【請求項１３】
前記撮影ステップにおいて前記領域を撮影する前記撮影装置のＩＳＯ感度が、前記静止画像に撮影されているスパッタを浮かび上がらせることが可能な値である、請求項９から１２のいずれか一項に記載のコンピュータプログラム。
【請求項１４】
前記動画像と、前記カウントステップにおいてカウントされた前記静止画像毎のスパッタの数とを対応付けて表示部に表示させる表示制御ステップをさらに有する、請求項９から１３のいずれか一項に記載のコンピュータプログラム。
【請求項１５】
前記表示制御ステップにおいて、前記静止画像毎のスパッタの数をグラフ化して前記表示部に表示させるとともに、前記スパッタの数の統計値をさらに表示させる、請求項１４に記載のコンピュータプログラム。
【請求項１６】
前記カウントステップにおいてカウントされた前記スパッタの数を前記静止画像毎に所定のファイル形式のファイルとして出力する出力ステップと、
出力された前記ファイルを他の装置に送信する通信ステップと、
をさらに実行させる、請求項９から１５のいずれか一項に記載のコンピュータプログラム。
【請求項１７】
持ち運び可能な端末装置であって、
溶接時に発生するスパッタを撮影可能な領域を動画像で撮影する撮影装置と、
前記撮影装置で撮影された前記動画像を構成する静止画像毎に、前記静止画像に撮影されているスパッタの数をカウントするカウント部と、
を備えるスパッタ計数装置。
【請求項１８】
前記動画像を二値化処理する画像処理部をさらに備え、
前記カウント部は、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントする、請求項１７に記載のスパッタ計数装置。
【請求項１９】
前記動画像の撮影時間のうち前記スパッタの数をカウントする対象となる時間帯を設定する設定部をさらに備え、
前記画像処理部は、前記設定部で設定された前記時間帯分の前記動画像を構成する静止画像毎に、前記静止画像に撮影されているスパッタの数をカウントする、請求項１８に記載のスパッタ計数装置。
【請求項２０】
前記領域を撮影する前記撮影装置のシャッタースピードが、１／４００〜１／８００である、請求項１７から１９のいずれか一項に記載のスパッタ計数装置。
【請求項２１】
前記領域を撮影する前記撮影装置のＩＳＯ感度が、前記静止画像に撮影されているスパッタを浮かび上がらせることが可能な値である、請求項１７から２０のいずれか一項に記載のスパッタ計数装置。
【請求項２２】
前記動画像と、前記カウント部によってカウントされた前記静止画像毎のスパッタの数とを対応付けて表示部に表示させる表示制御部をさらに備える、請求項１７から２１のいずれか一項に記載のスパッタ計数装置。
【請求項２３】
前記表示制御部は、前記静止画像毎のスパッタの数をグラフ化して前記表示部に表示させるとともに、前記スパッタの数の統計値をさらに表示させる、請求項２２に記載のスパッタ計数装置。
【請求項２４】
前記カウント部によってカウントされた前記スパッタの数を前記静止画像毎に所定のファイル形式のファイルとして出力する出力部と、
出力された前記ファイルを他の装置に送信する通信部と、
をさらに備える、請求項１７から２３のいずれか一項に記載のスパッタ計数装置。
【発明の詳細な説明】
【技術分野】
【０００１】
本発明は、スパッタ計数方法、コンピュータプログラム及びスパッタ計数装置に関する。
【背景技術】
【０００２】
従来、自動車等のボディパネルを溶接する工程においては、炭酸ガス又は炭酸ガスとアルゴンとの混合ガス等の酸化性シールドガス雰囲気下で溶接を行うＭＡＧ(Metal Active Gas)溶接が行われる。このＭＡＧ溶接は、溶接ワイヤを用いて行う半自動アーク溶接の一種であり、一般の溶接と同様に溶接作業中にアーク発生位置から周囲に溶融金属粒(スパッタ)が飛散する場合がある。スパッタは、周囲の環境を汚染するばかりではなく、溶接品質の低下等の問題を招くおそれがあり、その発生量を抑えることが望ましい。
【０００３】
従来、画像処理の手段を用いることにより、スパッタの発生量及びその挙動を正確に測定することができるスパッタの認識方法及びスパッタ認識装置が開示されている（例えば、特許文献１参照）。ところが、特許文献１に開示されている方法では、１万フレーム／秒（ＦＰＳ（Frames Per Second））の撮影速度を有する高速度カメラを必要とし、この高速度カメラには移動手段まで搭載されている。さらに、時間毎のフレーム画像内のスパッタを特定し、それぞれのフレームから連続性を判断し、個々のスパッタを認識するため演算処理も大掛かりとなっている。
【０００４】
ここで、高速度カメラ（ハイスピードカメラ）とは通常のビデオレート（３０フレーム毎秒：ＦＰＳ）を超える撮影速度を持つカメラのことを指しており、特に近年では、高速度カメラとは１００ＦＰＳを超える撮影装置を指すことが多くなっている。
【０００５】
その他にも、レーザ溶接による溶接部の良否判定のみならず剪断強度予測や破断モード予測をインプロセスで行うことができ、その結果、高速で且つ高精度なレーザ溶接に対応した品質管理を行うことが可能であるレーザ溶接良否判定方法及び良否判定装置が開示されている（例えば、特許文献２参照）。しかしながら、特許文献２に開示されている方法においても、大掛かりで高度な設備が必要となっている。
【先行技術文献】
【特許文献】
【０００６】
【特許文献１】特開２００８−１２６２７４号公報
【特許文献２】国際公開第２０１１／０２４９０４号
【発明の概要】
【発明が解決しようとする課題】
【０００７】
上記のように、従来の技術では、大掛かりで高額な装置が必要となってしまい、コスト的に困難である。さらに、例えば、狭い隙間を溶接する際には、手を伸ばしたり、のけぞったりしながらでも測定できたり、いつも溶接している施設以外で、とっさの場合でも、持ち運び測定できるような測定装置が有用である。すなわち、コストを抑えつつ、簡易な方法でスパッタを計数できる技術が望まれている。
【０００８】
上記事情に鑑み、本発明は、コストを抑えつつ、簡便な方法でスパッタを計数することができる技術の提供を目的としている。
【課題を解決するための手段】
【０００９】
本発明の一態様は、撮影装置を備える持ち運び可能な端末装置が行うスパッタ計数方法であって、溶接時に発生するスパッタを撮影可能な領域を動画像で撮影する撮影ステップと、前記撮影ステップにおいて撮影された前記動画像を構成する静止画像毎に、前記静止画像に撮影されているスパッタの数をカウントするカウントステップと、を有するスパッタ計数方法である。
【００１０】
本発明の一態様は、上記のスパッタ計数方法であって、前記動画像を二値化処理する画像処理ステップをさらに有し、前記カウントステップにおいて、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントする。
【００１１】
本発明の一態様は、上記のスパッタ計数方法であって、前記動画像の撮影時間のうち前記スパッタの数をカウントする対象となる時間帯を設定する設定ステップをさらに有し、前記画像処理ステップにおいて、前記設定ステップで設定された前記時間帯分の前記動画像を構成する静止画像毎に、前記静止画像に撮影されているスパッタの数をカウントする。
【００１２】
本発明の一態様は、上記のスパッタ計数方法であって、前記撮影ステップにおいて前記領域を撮影する前記撮影装置のシャッタースピードが、１／４００〜１／８００である。
【００１３】
本発明の一態様は、上記のスパッタ計数方法であって、前記撮影ステップにおいて前記領域を撮影する前記撮影装置のＩＳＯ感度が、前記静止画像に撮影されているスパッタを浮かび上がらせることが可能な値である。
【００１４】
本発明の一態様は、上記のスパッタ計数方法であって、前記動画像と、前記カウントステップにおいてカウントされた前記静止画像毎のスパッタの数とを対応付けて表示部に表示させる表示制御ステップをさらに有する。
【００１５】
本発明の一態様は、上記のスパッタ計数方法であって、前記表示制御ステップにおいて、前記静止画像毎のスパッタの数をグラフ化して前記表示部に表示させるとともに、前記スパッタの数の統計値をさらに表示させる。
【００１６】
本発明の一態様は、上記のスパッタ計数方法であって、前記カウントステップにおいてカウントされた前記スパッタの数を前記静止画像毎に所定のファイル形式のファイルとして出力する出力ステップと、出力された前記ファイルを他の装置に送信する通信ステップと、をさらに有する。
【００１７】
本発明の一態様は、撮影装置を備える持ち運び可能な端末装置として機能するコンピュータに、溶接時に発生するスパッタを撮影可能な領域を動画像で撮影する撮影ステップと、前記撮影ステップにおいて撮影された前記動画像を構成する静止画像毎に、前記静止画像に撮影されているスパッタの数をカウントするカウントステップと、を実行させるためのコンピュータプログラムである。
【００１８】
本発明の一態様は、上記のコンピュータプログラムであって、前記動画像を二値化処理する画像処理ステップをさらに実行させ、前記カウントステップにおいて、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントする。
【００１９】
本発明の一態様は、上記のコンピュータプログラムであって、前記動画像の撮影時間のうち前記スパッタの数をカウントする対象となる時間帯を設定する設定ステップをさらに実行させ、前記画像処理ステップにおいて、前記設定ステップで設定された前記時間帯分の前記動画像を構成する静止画像毎に、前記静止画像に撮影されているスパッタの数をカウントする。
【００２０】
本発明の一態様は、上記のコンピュータプログラムであって、前記撮影ステップにおいて前記領域を撮影する前記撮影装置のシャッタースピードが、１／４００〜１／８００である。
【００２１】
本発明の一態様は、上記のコンピュータプログラムであって、前記撮影ステップにおいて前記領域を撮影する前記撮影装置のＩＳＯ感度が、前記静止画像に撮影されているスパッタを浮かび上がらせることが可能な値である。
【００２２】
本発明の一態様は、上記のコンピュータプログラムであって、前記動画像と、前記カウントステップにおいてカウントされた前記静止画像毎のスパッタの数とを対応付けて表示部に表示させる表示制御ステップをさらに有する。
【００２３】
本発明の一態様は、上記のコンピュータプログラムであって、前記表示制御ステップにおいて、前記静止画像毎のスパッタの数をグラフ化して前記表示部に表示させるとともに、前記スパッタの数の統計値をさらに表示させる。
【００２４】
本発明の一態様は、上記のコンピュータプログラムであって、前記カウントステップにおいてカウントされた前記スパッタの数を前記静止画像毎に所定のファイル形式のファイルとして出力する出力ステップと、出力された前記ファイルを他の装置に送信する通信ステップと、をさらに実行させる。
【００２５】
本発明の一態様は、持ち運び可能な端末装置であって、溶接時に発生するスパッタを撮影可能な領域を動画像で撮影する撮影装置と、前記撮影装置で撮影された前記動画像を構成する静止画像毎に、前記静止画像に撮影されているスパッタの数をカウントするカウント部と、を備えるスパッタ計数装置である。
【００２６】
本発明の一態様は、上記のスパッタ計数装置であって、前記動画像を二値化処理する画像処理部をさらに備え、前記カウント部は、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントする。
【００２７】
本発明の一態様は、上記のスパッタ計数装置であって、前記動画像の撮影時間のうち前記スパッタの数をカウントする対象となる時間帯を設定する設定部をさらに備え、前記画像処理部は、前記設定部で設定された前記時間帯分の前記動画像を構成する静止画像毎に、前記静止画像に撮影されているスパッタの数をカウントする。
【００２８】
本発明の一態様は、上記のスパッタ計数装置であって、前記領域を撮影する前記撮影装置のシャッタースピードが、１／４００〜１／８００である。
【００２９】
本発明の一態様は、上記のスパッタ計数装置であって、前記領域を撮影する前記撮影装置のＩＳＯ感度が、前記静止画像に撮影されているスパッタを浮かび上がらせることが可能な値である。
【００３０】
本発明の一態様は、上記のスパッタ計数装置であって、前記動画像と、前記カウント部によってカウントされた前記静止画像毎のスパッタの数とを対応付けて表示部に表示させる表示制御部をさらに備える。
【００３１】
本発明の一態様は、上記のスパッタ計数装置であって、前記表示制御部は、前記静止画像毎のスパッタの数をグラフ化して前記表示部に表示させるとともに、前記スパッタの数の統計値をさらに表示させる。
【００３２】
本発明の一態様は、上記のスパッタ計数装置であって、前記カウント部によってカウントされた前記スパッタの数を前記静止画像毎に所定のファイル形式のファイルとして出力する出力部と、出力された前記ファイルを他の装置に送信する通信部と、をさらに備える。
【発明の効果】
【００３３】
本発明により、コストを抑えつつ、簡便な方法でスパッタを計数することが可能となる。
【図面の簡単な説明】
【００３４】
【図１】スパッタ計数装置の機能構成を表す概略ブロック図である。
【図２】シャッタースピードの違いによる撮影対象となる領域撮影時の画像を表す図である。
【図３】記憶部に記憶される算出結果の一例を示す図である。
【図４】本実施形態におけるスパッタ計数装置における撮影開始前の処理の流れを示すフローチャートである。
【図５】本実施形態におけるスパッタ計数装置におけるスパッタの計数処理の流れを示すフローチャートである。
【図６】表示部が表示する画面の一例を示す図である。
【図７】異なる溶接条件においてスパッタ数をカウントした結果を示す図である。
【図８】実験結果の示す図である。
【発明を実施するための形態】
【００３５】
以下、本発明の一実施形態を、図面を参照しながら説明する。
図１は、スパッタ計数装置１０の機能構成を表す概略ブロック図である。
スパッタ計数装置１０は、溶接時に発生するアークを中心とした周辺の領域に飛散するスパッタを計数する装置である。スパッタ計数装置１０は、撮影装置を備えるスマートフォンやタブレット端末等の持ち運び可能な端末装置を用いて構成される。スパッタ計数装置１０は、撮影対象となる領域を動画像で撮影し、撮影した動画像を構成する静止画像毎に、静止画像に撮影されているスパッタ数をカウントする。ここで、スパッタ数をカウントするとは、スパッタを計数することを意味する。本実施形態において撮影対象となる領域とは、溶接時においてスパッタを撮影可能な領域であり、例えば溶接時に発生するアークを中心とした周辺の領域である。
【００３６】
スパッタ計数装置１０は、撮影部１１、操作部１２、表示部１３、記憶部１４及び制御部１５を備える。
撮影部１１は、撮影対象となる領域を動画像で撮影する撮影装置（例えば、カメラ）である。例えば、撮影部１１は、制御部１５により設定される撮影パラメータで、撮影対象となる領域を動画像で撮影する。撮影パラメータは、撮影部１１の撮影時における設定に関するパラメータであり、例えばフレームレート、シャッタースピード及びＩＳＯ感度である。
【００３７】
フレームレートは、動画像の表示の滑らかさを表す指標の一つであり、１秒間に撮影部１１で撮影する枚数（１秒当たりのコマ数）を表す。フレームレートは、大きくするほど滑らかな画像となる。しかしながら、動画像データとしては、データサイズが大きくなる。フレームレートは、好ましくは１０〜３０ＦＰＳである。
【００３８】
シャッタースピードは、撮影部１１のシャッターが開いている時間、すなわち撮像素子がレンズを通した光にさらされる時間である。シャッタースピードが短いほど、鮮明な画像が撮影できる。一方、シャッタースピードが長いほど、光量が確保できる。シャッタースピードは、好ましくは１／４００〜１／８００である。
【００３９】
図２は、シャッタースピードの違いによる撮影対象となる領域撮影時の画像を表す図である。図２（Ａ）はシャッタースピードを１／１０００として撮影対象となる領域を撮影した図であり、図２（Ｂ）はシャッタースピードを１／３０として撮影対象となる領域を撮影した図である。
シャッタースピードを短めに設定することでスパッタ２０を点として捕らえることが可能となるが、シャッタースピードが短くしすぎると、図２（Ａ）に示すように、光量が確保できないため小さいスパッタ２０を計数できなくなる。一方、図２（Ｂ）に示すように、シャッタースピードを長めに設定するとスパッタ２０が線として撮影されてしまうため、スパッタ２０の重なりが多く発生し、計数が困難になる。
【００４０】
ＩＳＯ感度は、撮影部１１に取り込まれる光の増幅度である。ＩＳＯ感度を小さくすると暗い画像となり、大きくすると明るい画像となる。しかしながら、ＩＳＯ感度は大きくしすぎると、ノイズの原因となる。スパッタは、非常に明るいものであるため、ＩＳＯ感度を静止画像に撮影されているスパッタを浮かび上がらせることが可能な値まで小さくすることで、画像に撮影されている周囲（例えば、背景やスパッタ以外のもの）の映像を暗くし、スパッタのみ取り込むことができ、より正確な計数を可能とすることができる。ＩＳＯ感度は、好ましくは５０である。
【００４１】
操作部１２は、タッチパネル、ボタン等の既存の入力装置を用いて構成される。操作部１２は、ユーザの指示をスパッタ計数装置１０に入力する際にユーザによって操作される。操作部１２は、撮影パラメータ、画像解析パラメータ及びスパッタ計数対象時間の設定指示を受け付ける。また、操作部１２は、入力装置をスパッタ計数装置１０に接続するためのインタフェースであってもよい。この場合、操作部１２は、入力装置においてユーザの入力に応じて生成された入力信号をスパッタ計数装置１０に入力する。
【００４２】
画像解析パラメータは、スパッタを計数するために用いられるパラメータであり、例えば検出サイズ及び光検出精度である。検出サイズは、スパッタとして認識するサイズ（画素数）の閾値である。スパッタは小さいサイズであるため、検出サイズが大きいと電球やアークなどもスパッタとして誤検知されてしまう可能性がある。また、検出サイズを小さくしすぎると、スパッタの計数を取りこぼすことになる。検出サイズとしては、好ましくは５〜８ピクセルであり、より好ましくは６ピクセルである。
【００４３】
光検出精度は、二値化処理後の画像の白さ、黒さの度合いを表す閾値である。光検出精度は、二値化により０〜２５５諧調で白黒度合いを表したものである。０が黒で、白が２５５となる。光検出精度は、好ましくは１６５〜２２５のいずれかである。
また、スパッタ計数対象時間は、動画像の撮影時間のうちスパッタ数をカウントする対象となる時間帯を指定するための時間である。
【００４４】
表示部１３は、液晶ディスプレイ、有機ＥＬ（Electro Luminescence）ディスプレイ等の画像表示装置である。表示部１３は、スパッタの計数結果を表示する。表示部１３は、画像表示装置をスパッタ計数装置１０に接続するためのインタフェースであってもよい。この場合、表示部１３は、スパッタ計数装置１０を表示するための映像信号を生成し、自身に接続されている画像表示装置に映像信号を出力する。
【００４５】
記憶部１４は、磁気ハードディスク装置や半導体記憶装置などの記憶装置を用いて構成される。記憶部１４は、動画像データ１４１及び算出結果１４２を記憶する。動画像データ１４１は、撮影部１１によって撮影された動画像のデータである。算出結果１４２は、制御部１５によるスパッタの計数結果に基づいて得られるスパッタの統計値等の算出結果である。
【００４６】
図３は、記憶部１４に記憶される算出結果１４２の一例を示す図である。
図３に示すように、算出結果１４２として、動画像ＩＤ、動画像データ、静止画像ＩＤ静止画像データ、スパッタ数及び統計値の各値が対応付けられている。動画像ＩＤの値は、動画像を識別するための識別情報である。動画像データの値は、動画像ＩＤで識別される動画像のデータである。静止画像ＩＤの値は、動画像を構成する静止画像を識別するための識別情報である。静止画像データの値は、静止画像ＩＤで識別される静止画像のデータである。スパッタ数の値は、静止画像に撮影されているスパッタの数である。スパッタ数の値は、静止画像毎に得られる。
【００４７】
統計値の値は、動画像ＩＤで識別される動画像データにおいてカウントされたスパッタの統計値である。図３では、統計値として、最大値、最小値、累計値及び平均値が示されている。最大値は、１枚の静止画像でカウントされたスパッタの最大数である。最小値は、１枚の静止画像でカウントされたスパッタの最小数である。累積値は、１つの動画像データ全体でカウントされたスパッタの総数である。平均値は、１つの動画像データ全体でカウントされたスパッタの平均数である。平均値は、１つの動画像データを構成する静止画像の数で累積値を除算することによって算出される。
【００４８】
図１に戻って説明を続ける。
制御部１５は、ＣＰＵ（Central Processing Unit）やＧＰＵ（Graphics Processing Unit）等のプロセッサやメモリを用いて構成される。制御部１５は、プログラムを実行することによって、設定部１５１、画像処理部１５２、カウント部１５３、算出部１５４及び表示制御部１５５として機能する。
【００４９】
設定部１５１は、操作部１２を介して入力された撮影パラメータ、画像解析パラメータ及びスパッタ計数対象時間を設定する。例えば、設定部１５１は、撮影パラメータを撮影部１１に設定する。また、例えば、設定部１５１は、スパッタ計数対象時間を画像処理部１５２に設定する。また、例えば、設定部１５１は、画像解析パラメータをカウント部１５３に設定する。
【００５０】
画像処理部１５２は、記憶部１４に記憶されている動画像データ１４１に対して画像処理を行う。具体的には、まず画像処理部１５２は、記憶部１４に記憶されている動画像データ１４１から１つの動画像データを読み出す。例えば、画像処理部１５２は、ユーザによって指定された動画像データを読み出す。次に、画像処理部１５２は、読み出した動画像データのうち、操作部１２を介して入力されたスパッタ計数対象時間で示される時間分の動画像データを抽出する。その後、画像処理部１５２は、抽出した動画像データに対して伸縮処理、膨張処理を行った後、二値化処理により白黒の動画像データに変換する。
【００５１】
カウント部１５３は、画像処理部１５２により画像処理が施された動画像データと、設定部１５１によって設定された画像解析パラメータとに基づいて、画像処理が施された動画像データに撮影されているスパッタ数をカウントする。具体的には、カウント部１５３は、画像解析パラメータで示される条件を満たす領域をスパッタとしてカウントし、画像処理が施された動画像データを構成している静止画像毎にスパッタ数をカウントする。１つの静止画像を例に説明する。まずカウント部１５３は、静止画像内において白黒諧調が、設定された閾値以上の画素を探索する。次に、カウント部１５３は、隣接する閾値以上の画素で構成される領域のサイズと、検出サイズとを比較する。そして、カウント部１５３は、隣接する閾値以上の画素で構成される領域のサイズが、設定された検出サイズ以下である場合に、当該領域を画像解析パラメータで示される条件を満たす領域と判定し、スパッタとしてカウントする。
【００５２】
算出部１５４は、カウント部１５３によってカウントされた結果に基づいて、動画像データ１４１におけるスパッタ数に関する統計値を算出する。スパッタ数に関する統計値とは、最大値、最小値、平均値及び累計値である。算出部１５４は、統計値の算出結果を動画像データに対応付けて算出結果１４２として記憶部１４に記憶する。
【００５３】
表示制御部１５５は、表示部１３の表示を制御する。例えば、表示制御部１５５は、動画像データと、カウントされた静止画像毎のスパッタの数とを対応付けて表示部１３に表示させる。また、例えば、表示制御部１５５は、静止画像毎のスパッタの数をグラフ化して表示部１３に表示させるとともに、スパッタの数の統計値をさらに表示させる。
【００５４】
図４は、本実施形態におけるスパッタ計数装置１０における撮影開始前の処理の流れを示すフローチャートである。
ユーザは、操作部１２を介してスパッタ計数装置１０に対してフレームレートを入力する。設定部１５１は、操作部１２を介して入力されたフレームレートとなるように撮影部１１に設定する（ステップＳ１０１）。ユーザは、操作部１２を介してスパッタ計数装置１０に対してシャッタースピードを入力する。設定部１５１は、操作部１２を介して入力されたてシャッタースピードとなるように撮影部１１に設定する（ステップＳ１０２）。ユーザは、操作部１２を介してスパッタ計数装置１０に対してＩＳＯ感度を入力する。設定部１５１は、操作部１２を介して入力されたてＩＳＯ感度となるように撮影部１１に設定する（ステップＳ１０３）。ステップＳ１０１からステップＳ１０３までの処理により、撮影部１１に対して撮影パラメータが設定される。その後、撮影部１１は、ユーザの操作に応じて、撮影対象となる領域を動画像で撮影する（ステップＳ１０４）。
【００５５】
図５は、本実施形態におけるスパッタ計数装置１０におけるスパッタの計数処理の流れを示すフローチャートである。
表示制御部１５５は、ユーザの操作に応じて、記憶部１４に記憶されている動画像データ１４１の一覧を表示部１３に表示してユーザから動画像の選択を受け付ける（ステップＳ２０１）。操作部１２は、動画像の選択指示がなされると、選択された動画像に関する情報（例えば、動画像ＩＤ）を画像処理部１５２に出力する。次に、操作部１２は、スパッタ計数対象時間の入力を受け付ける（ステップＳ２０２）。操作部１２は、スパッタ計数対象時間（開始時刻及び終了時刻）の入力がなされると、入力されたスパッタ計数対象時間を画像処理部１５２に出力する。
【００５６】
画像処理部１５２は、出力された動画像ＩＤで識別される動画像データを動画像データ１４１から取得する。そして、画像処理部１５２は、取得した動画像データに対して前処理を行う（ステップＳ２０３）。具体的には、まず画像処理部１５２は、読み出した動画像データのうち、操作部１２を介して入力されたスパッタ計数対象時間で示される時間分の動画像データを抽出する。その後、画像処理部１５２は、抽出した動画像データに対して伸縮処理、膨張処理を行った後、二値化処理により白黒の動画像データに変換する。画像処理部１５２は、画像処理後の動画像データをカウント部１５３に出力する。
【００５７】
カウント部１５３は、画像処理部１５２から出力された動画像データを構成する静止画像のうち１枚の静止画像を選択する（ステップＳ２０４）。例えば、カウント部１５３は、動画像データを構成する静止画像のうち先頭の静止画像を選択する。カウント部１５３は、選択した静止画像と、設定部１５１によって設定された画像解析パラメータとに基づいて、選択した静止画像に撮影されているスパッタ数をカウントする（ステップＳ２０５）。具体的には、カウント部１５３は、静止画像において、白黒諧調が第１の閾値以上であって、かつ、隣接している白黒諧調が第１の閾値以上である画素で構成される領域の大きさが第２の閾値以下である領域をスパッタと判断して、スパッタの数をカウントする。
【００５８】
その後、カウント部１５３は、全ての静止画像でスパッタ数をカウントしたか否かを判定する（ステップＳ２０６）。全ての静止画像でスパッタ数をカウントした場合（ステップＳ２０６−ＹＥＳ）、カウント部１５３は各静止画像に、カウントしたスパッタ数の情報を対応付けて算出部１５４に出力する。算出部１５４は、カウント部１５３から出力された情報に基づいて統計値を算出する（ステップＳ２０７）。具体的には、算出部１５４は、カウント部１５３から出力された情報（例えば、スパッタ数）に応じて、最大値、最小値、平均値及び累積値を算出する。算出部１５４は、算出した結果を算出結果１４２として記憶部１４に記憶する。また、算出部１５４は、算出した結果を、表示制御部１５５に出力する。
【００５９】
表示制御部１５５は、算出部１５４から出力された結果を表示部１３に表示させる。具体的には、表示制御部１５５は、記憶部１４に記憶されている算出結果１４２を用いて、図６に示す画面を表示させるための画像データを生成して、生成した画面データを表示部１３に表示させる。図６は、表示部１３が表示する画面の一例を示す図である。図６に示すように、表示部１３には、動画像３０と、グラフ４０と、統計値（図６における“最大”、“最小”、“平均”及び“累計”）と、指示入力部４１とが表示されている。
【００６０】
動画像３０は、ユーザによって選択された動画像データである。グラフ４０は、ユーザによって選択された動画像データを構成する静止画像毎のスパッタ数を時系列順にグラフ化した結果である。指示入力部４１は、動画像３０の再生、停止、早送り、早戻し等の指示を入力する際に利用される入力部である。表示制御部１５５は、各時刻における静止画像と、静止画像においてカウントされたスパッタ数とを対応付けておく。そして、表示制御部１５５は、動画像３０の再生に同期して、動画像３０の再生時刻に対応する静止画像においてカウントされたスパッタ数を瞬時値４２として表示させる。例えば、図６に示す例では、動画像３０の再生時刻が“５分２０秒”であり、“５分２０秒”における静止画像においてカウントされたスパッタ数“７４２”であることが示されている。表示部１３は、表示制御部１５５の制御に従って算出部１５４から出力された結果を表示する（ステップＳ２０８）。
【００６１】
また、ステップＳ２０６の処理において全ての静止画像でスパッタ数をカウントしていない場合（ステップＳ２０６−ＹＥＳ）、カウント部１５３は他の静止画像を選択する（ステップＳ２０９）。例えば、カウント部１５３は、スパッタの数をカウントしていない静止画像を選択する。その後、カウント部１５３は、ステップＳ２０５以降の処理を実行する。
【００６２】
次に、実験による本発明の精度について説明する。
図７は、異なる溶接条件においてスパッタ数をカウントした結果を示す図である。
図７（Ａ）はスパッタが多くなる溶接条件下でスパッタ数をカウントした結果を示す図であり、図７（Ｂ）はスパッタが少なくなる溶接条件下でスパッタ数をカウントした結果を示す図である。図７を参照すると、明らかな差を確認することができる。
【００６３】
また、本発明の精度を向上させるため、様々なパラメータによりスパッタ数をカウントし、本発明の結果と、静止画像による目視計測の結果とを比較した。ここで、本発明における撮影パラメータ及び画像解析パラメータを下記の条件として実験を行った。
・撮影パラメータ
フレームレート：静止画像における計数結果に影響を及ぼさないため１０ＦＰＳで固定
ＩＳＯ感度：５０
シャッタースピード：１/１０００と１/４００とのそれぞれで固定。シャッタースピードを１/４００以上長くすると、スパッタが線状で撮像されてしまうため、正確にスパッタ数をカウントすることができなくなる。
・画像解析パラメータ
検出サイズ：５，６，８ピクセルを閾値とした。
光検出精度：１６５〜２２５の間のいずれかの値（例えば、１６５、１８５、２１０）を閾値とした。
【００６４】
図８は、実験結果の示す図である。
図８に示すように、検出サイズが５，６，８ピクセルのうち６とした場合に最も精度よく検出できることがわかる。また、光検出精度は１８５が目視計測と比べ最もばらつきが少ない結果となった。
【００６５】
以上のように構成されたスパッタ計数装置１０によれば、撮影部１１を備える持ち運び可能な端末装置で、スパッタを撮影可能な領域を撮影し、同一の筐体において、撮影された動画像からスパッタ数をカウントする。これにより、１つの筐体でスパッタの撮影と、スパッタ数のカウントとを行うことができる。また、持ち運び可能な端末装置であるため、装置も大掛かりにならず、コストも削減することができる。そのため、コストを抑えつつ、簡便な方法でスパッタ数を計数することが可能になる。
【００６６】
また、スパッタ計数装置１０は、二値化処理後の動画像を構成する静止画像毎に、白黒諧調が第１の閾値以上であって、かつ、隣接している白黒諧調が第１の閾値以上である画素で構成される領域の大きさが第２の閾値以下である領域をスパッタとしてカウントする。スパッタは白く撮影されるため、スパッタ計数装置１０は、白黒諧調が第１の閾値（白寄りの値）以上の画素を探索し、隣接している白黒諧調が第１の閾値の画素で構成される領域の大きさを求める。また、スパッタは小さいものであるため、スパッタ計数装置１０は求めた領域の大きさが第２の閾値以下の領域をスパッタとしてカウントし、電球やアーク等のスパッタよりも大きな対象をスパッタとしてカウントしないようにする。このような処理により、より精度よくスパッタ数をカウントすることができる。
【００６７】
また、スパッタ計数装置１０は、動画像の撮影時間のうちスパッタ数をカウントする対象となる時間帯を設定し、設定した時間帯分の動画像データのみを抽出してスパッタ数のカウントを行うことによって、動画像データの容量を小さくすると共に、スパッタ数の平均値の計算をより正確なものに近づけることができる。そのため、より精度よくスパッタ数をカウントすることができる。
【００６８】
撮影部１１のシャッタースピードを、１／４００〜１／８００の範囲とすることで撮影されるスパッタを点として撮影することができるとともに、動画像データの容量を抑えることができる。
撮影部１１のＩＳＯ感度を、静止画像に撮影されているスパッタを浮かび上がらせることが可能な値とすることによって、スパッタをより制御よく検出することができる。
【００６９】
また、スパッタ計数装置１０は、動画像と、動画像を構成する静止画像毎のスパッタ数をグラフ化して表示部１３に表示させるとともに、スパッタ数の統計値を表示させることによって、ユーザに対してスパッタの計数結果をより分かりやすい状態で提示することができる。
また、スパッタ計数装置１０は、スマートフォンやタブレット端末のように持ち運び可能な端末装置であるため、溶接時においてユーザはマスクをしながらであっても容易に撮影が可能となる。そのため、利便性を向上させることができる。
【００７０】
＜変形例＞
スパッタ計数装置１０は、算出結果１４２をｃｓｖファイル形式のファイルとして出力するように構成されてもよい。そして、スパッタ計数装置１０は、出力したファイルを他の装置に送信してもよい。このように構成される場合、スパッタ計数装置１０は、出力部及び通信部を備える。出力部は、算出結果１４２をｃｓｖファイル形式のファイルとして出力する。通信部は、出力されたファイルを他の装置（例えば、メール等の通信手段でパーソナルコンピュータ）に送信する。
このように構成されることによって、データの幅広い活用が可能となる。
また、スパッタ計数装置１０は、出力されたファイルを印刷して出力するように構成されてもよい。
【００７１】
上述した実施形態におけるスパッタ計数装置１０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Ｆｉｅｌｄ  Ｐｒｏｇｒａｍｍａｂｌｅ  Ｇａｔｅ  Ａｒｒａｙ）等のプログラマブルロジックデバイスを用いて実現されるものであってもよい。
【００７２】
以上、この発明の実施形態について図面を参照して詳述してきたが、具体的な構成はこの実施形態に限られるものではなく、この発明の要旨を逸脱しない範囲の設計等も含まれる。
【符号の説明】
【００７３】
１０…スパッタ計数装置，  １１…撮影部，  １２…操作部，  １３…表示部，  １４…記憶部，  １５…制御部，  １５１…設定部，  １５２…画像処理部，  １５３…カウント部，  １５４…算出部，  １５５…表示制御部
【図１】
2019188421.tif 000003
【図２】
2019188421.tif 000004
【図３】
2019188421.tif 000005
【図４】
2019188421.tif 000006
【図５】
2019188421.tif 000007
【図６】
2019188421.tif 000008
【図７】
2019188421.tif 000009
【図８】
2019188421.tif 000010
【手続補正書】
【提出日】令和1年7月18日(2019.7.18)
【手続補正１】
【補正対象書類名】特許請求の範囲
【補正対象項目名】全文
【補正方法】変更
【補正の内容】
【特許請求の範囲】
【請求項１】
撮影装置を備える持ち運び可能な端末装置が行うスパッタ計数方法であって、
溶接時に発生するスパッタを撮影可能な領域を動画像で撮影する撮影ステップと、
前記撮影ステップにおいて撮影された前記動画像を構成する静止画像毎に、前記静止画像に撮影されているスパッタの数をカウントするカウントステップと、
前記動画像を二値化処理する画像処理ステップと、
を有し、
前記カウントステップにおいて、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントするスパッタ計数方法。
【請求項２】
前記動画像の撮影時間のうち前記スパッタの数をカウントする対象となる時間帯を設定する設定ステップをさらに有し、
前記画像処理ステップにおいて、前記設定ステップで設定された前記時間帯分の前記動画像を構成する静止画像毎に、前記静止画像に撮影されているスパッタの数をカウントする、請求項１に記載のスパッタ計数方法。
【請求項３】
前記撮影ステップにおいて前記領域を撮影する前記撮影装置のシャッタースピードが、１／４００〜１／８００である、請求項１又は２に記載のスパッタ計数方法。
【請求項４】
前記撮影ステップにおいて前記領域を撮影する前記撮影装置のＩＳＯ感度が、前記静止画像に撮影されているスパッタを浮かび上がらせることが可能な値である、請求項１から３のいずれか一項に記載のスパッタ計数方法。
【請求項５】
前記動画像と、前記カウントステップにおいてカウントされた前記静止画像毎のスパッタの数とを対応付けて表示部に表示させる表示制御ステップをさらに有する、請求項１から４のいずれか一項に記載のスパッタ計数方法。
【請求項６】
前記表示制御ステップにおいて、前記静止画像毎のスパッタの数をグラフ化して前記表示部に表示させるとともに、前記スパッタの数の統計値をさらに表示させる、請求項５に記載のスパッタ計数方法。
【請求項７】
前記カウントステップにおいてカウントされた前記スパッタの数を前記静止画像毎に所定のファイル形式のファイルとして出力する出力ステップと、
出力された前記ファイルを他の装置に送信する通信ステップと、
をさらに有する、請求項１から６のいずれか一項に記載のスパッタ計数方法。
【請求項８】
撮影装置を備える持ち運び可能な端末装置として機能するコンピュータに、
溶接時に発生するスパッタを撮影可能な領域を動画像で撮影する撮影ステップと、
前記撮影ステップにおいて撮影された前記動画像を構成する静止画像毎に、前記静止画像に撮影されているスパッタの数をカウントするカウントステップと、
前記動画像を二値化処理する画像処理ステップと、
を実行させ、
前記カウントステップにおいて、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントするためのコンピュータプログラム。
【請求項９】
前記動画像の撮影時間のうち前記スパッタの数をカウントする対象となる時間帯を設定する設定ステップをさらに実行させ、
前記画像処理ステップにおいて、前記設定ステップで設定された前記時間帯分の前記動画像を構成する静止画像毎に、前記静止画像に撮影されているスパッタの数をカウントする、請求項８に記載のコンピュータプログラム。
【請求項１０】
前記撮影ステップにおいて前記領域を撮影する前記撮影装置のシャッタースピードが、１／４００〜１／８００である、請求項８又は９に記載のコンピュータプログラム。
【請求項１１】
前記撮影ステップにおいて前記領域を撮影する前記撮影装置のＩＳＯ感度が、前記静止画像に撮影されているスパッタを浮かび上がらせることが可能な値である、請求項８から１０のいずれか一項に記載のコンピュータプログラム。
【請求項１２】
前記動画像と、前記カウントステップにおいてカウントされた前記静止画像毎のスパッタの数とを対応付けて表示部に表示させる表示制御ステップをさらに有する、請求項８から１１のいずれか一項に記載のコンピュータプログラム。
【請求項１３】
前記表示制御ステップにおいて、前記静止画像毎のスパッタの数をグラフ化して前記表示部に表示させるとともに、前記スパッタの数の統計値をさらに表示させる、請求項１２に記載のコンピュータプログラム。
【請求項１４】
前記カウントステップにおいてカウントされた前記スパッタの数を前記静止画像毎に所定のファイル形式のファイルとして出力する出力ステップと、
出力された前記ファイルを他の装置に送信する通信ステップと、
をさらに実行させる、請求項８から１３のいずれか一項に記載のコンピュータプログラム。
【請求項１５】
持ち運び可能な端末装置であって、
溶接時に発生するスパッタを撮影可能な領域を動画像で撮影する撮影装置と、
前記撮影装置で撮影された前記動画像を構成する静止画像毎に、前記静止画像に撮影されているスパッタの数をカウントするカウント部と、
前記動画像を二値化処理する画像処理部と、
を備え、
前記カウント部は、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントするスパッタ計数装置。
【請求項１６】
前記動画像の撮影時間のうち前記スパッタの数をカウントする対象となる時間帯を設定する設定部をさらに備え、
前記画像処理部は、前記設定部で設定された前記時間帯分の前記動画像を構成する静止画像毎に、前記静止画像に撮影されているスパッタの数をカウントする、請求項１５に記載のスパッタ計数装置。
【請求項１７】
前記領域を撮影する前記撮影装置のシャッタースピードが、１／４００〜１／８００である、請求項１５又は１６に記載のスパッタ計数装置。
【請求項１８】
前記領域を撮影する前記撮影装置のＩＳＯ感度が、前記静止画像に撮影されているスパッタを浮かび上がらせることが可能な値である、請求項１５から１７のいずれか一項に記載のスパッタ計数装置。
【請求項１９】
前記動画像と、前記カウント部によってカウントされた前記静止画像毎のスパッタの数とを対応付けて表示部に表示させる表示制御部をさらに備える、請求項１５から１８のいずれか一項に記載のスパッタ計数装置。
【請求項２０】
前記表示制御部は、前記静止画像毎のスパッタの数をグラフ化して前記表示部に表示させるとともに、前記スパッタの数の統計値をさらに表示させる、請求項１９に記載のスパッタ計数装置。
【請求項２１】
前記カウント部によってカウントされた前記スパッタの数を前記静止画像毎に所定のファイル形式のファイルとして出力する出力部と、
出力された前記ファイルを他の装置に送信する通信部と、
をさらに備える、請求項１５から２０のいずれか一項に記載のスパッタ計数装置。
【手続補正２】
【補正対象書類名】明細書
【補正対象項目名】０００９
【補正方法】変更
【補正の内容】
【０００９】
本発明の一態様は、撮影装置を備える持ち運び可能な端末装置が行うスパッタ計数方法であって、溶接時に発生するスパッタを撮影可能な領域を動画像で撮影する撮影ステップと、前記撮影ステップにおいて撮影された前記動画像を構成する静止画像毎に、前記静止画像に撮影されているスパッタの数をカウントするカウントステップと、前記動画像を二値化処理する画像処理ステップと、を有し、前記カウントステップにおいて、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントするスパッタ計数方法である。
【手続補正３】
【補正対象書類名】明細書
【補正対象項目名】００１０
【補正方法】削除
【補正の内容】
【手続補正４】
【補正対象書類名】明細書
【補正対象項目名】００１７
【補正方法】変更
【補正の内容】
【００１７】
本発明の一態様は、撮影装置を備える持ち運び可能な端末装置として機能するコンピュータに、溶接時に発生するスパッタを撮影可能な領域を動画像で撮影する撮影ステップと、前記撮影ステップにおいて撮影された前記動画像を構成する静止画像毎に、前記静止画像に撮影されているスパッタの数をカウントするカウントステップと、前記動画像を二値化処理する画像処理ステップと、を実行させ、前記カウントステップにおいて、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントするためのコンピュータプログラムである。
【手続補正５】
【補正対象書類名】明細書
【補正対象項目名】００１８
【補正方法】削除
【補正の内容】
【手続補正６】
【補正対象書類名】明細書
【補正対象項目名】００２５
【補正方法】変更
【補正の内容】
【００２５】
本発明の一態様は、持ち運び可能な端末装置であって、溶接時に発生するスパッタを撮影可能な領域を動画像で撮影する撮影装置と、前記撮影装置で撮影された前記動画像を構成する静止画像毎に、前記静止画像に撮影されているスパッタの数をカウントするカウント部と、前記動画像を二値化処理する画像処理部と、を備え、前記カウント部は、二値化処理後の前記動画像を構成する静止画像毎に、白黒諧調が第１の閾値以上であって、かつ、隣接している白黒諧調が第１の閾値以上である画素で構成される領域の大きさが第２の閾値以下である領域を前記スパッタとしてカウントするスパッタ計数装置である。
【手続補正７】
【補正対象書類名】明細書
【補正対象項目名】００２６
【補正方法】削除
【補正の内容】
【手続補正８】
【補正対象書類名】明細書
【補正対象項目名】００６４
【補正方法】変更
【補正の内容】
【００６４】
図８は、実験結果を示す図である。
図８に示すように、検出サイズが５，６，８ピクセルのうち６とした場合に最も精度よく検出できることがわかる。また、光検出精度は１８５が目視計測と比べ最もばらつきが少ない結果となった。
【手続補正９】
【補正対象書類名】図面
【補正対象項目名】図８
【補正方法】変更
【補正の内容】
【図８】
2019188421.tif 000011